Podtech/llm-jp-corpus-v4-ja_patent huggingface dataset:
(57)【要約】
【課題】　設置可能であると共に、選択して個別の機能を発揮できる仏壇兼神棚を提供せんとする。
【解決手段】　仏壇１と神棚２を背合わせに配置すると共に、回転台４上に載置したことを特徴とする。
【選択図】　図１
0003099567.tif 000002
【実用新案登録請求の範囲】
【請求項１】
　仏壇と神棚を背合わせに配置すると共に、回転台上に載置したことを特徴とする仏壇兼神棚。
【請求項２】
　仏壇と神棚が背合わせに当着し、一体とした請求項１記載の仏壇兼神棚。
【請求項３】
　箱体の内部中間に仕切りを設け、一方の側に仏壇を形成し、他方の側に神棚を形成した請求項１記載の仏壇兼神棚。
【考案の詳細な説明】
【技術分野】
【０００１】
　本考案は、仏壇と神棚を兼ね備える具に関するものである。
【背景技術】
【０００２】
　従来の仏壇や神棚は、各々独立した専用の仏・神具として製造・販売されると共に、需要者（使用者）もそのような認識で家屋に各々設置しているのである。
【０００３】
　又、近年では住宅事情の変化に対応して、簡易な仏壇や神棚を提案するものもあり、台座部に載置する宗教用具によって仏壇としたり、神棚として使用する持ち運び可能なものも提案されている。
【特許文献１】特開２００２ー３０６３１９
【特許文献２】実開平６ー１１５７８
【考案の開示】
【考案が解決しようとする課題】
【０００４】
　本考案は、仏壇と神具とを兼ね備え、設置可能であると共に選択して個別の機能を発揮できる仏壇兼神棚を提供せんとするものである。
【課題を解決するための手段】
【０００５】
　本考案は、仏壇と神棚を背合わせに配置すると共に、回転台上に載置したことを特徴とするものである。
　仏壇と神棚は背合わせに当着し、一体としてもよく、更に、箱体の内部中間に仕切りを設け、一方の側に仏壇を形成し、他方の側に神棚を形成したものとしてもよい。
【考案の効果】
【０００６】
　本考案は、仏壇と神棚を背合わせに設け、回転可能な台に載置されているため、仏壇と神棚を選択して前面に配置することができる。
　したがって、日時に応じて必要な面を配置して仏壇と神棚の機能を得ることができる効果を有し、スペースの効率的利用を図れるものである。
【０００７】
　そして、仏壇と神棚を同時に必要とする儀式等は一般的にはあり得ないため、両者を背合わせに設置し、一方の面側のみを前面に表示して利用する構成としても、常時はその設置場所により適した仏壇又は神棚を前面としておけばよいのであり、両者の利用に支障は生じないのである。
【０００８】
　仏壇と神棚との背合わせの状態は、回転台上に載置するため各々に適度の重量があり、独立状態で載置してもよく、必要に応じての回転による配置変えは緩やかに行われるものであるから、両者の一体化は条件とならない。
【０００９】
　しかし、背合わせとなる互いの背面板と接着剤等で当着したり、一の箱体の内部中間に仕切りを設けて、仕切られた各々の面に仏壇と神棚を形成して一体構成とすれば、安定性も一層増大するものとなる。
【考案を実施するための最良の形態】
【００１０】
　本考案の実施の形態を図面に基づいて説明する。
　図１は本考案の一実施の形態を示す正面図、図２は同背面図であり、正面の前面側は仏壇１と成し、背面の背面側は神棚２と成したものである。
【００１１】
　図３は側面図であり、仏壇１と神棚２は各々独立した箱体３Ａ、３Ｂと成って台４上に配置されている。
　又、図４は仏壇１と神棚２は各々独立した箱体３Ａ、３Ｂであるけれど、背面板部において接着剤５により接着したものである。
　更に、図５は仏壇１及び神棚２の内部構造を省略し一部切り欠いた側面図であり、箱体３Ｃの中間部に仕切板６を設けて２分割し、夫々仏壇１及び神棚２を形成するものとしたものである。
【００１２】
　仏壇１と神棚２を載置する台４は回転可能に基台７に軸支され、台４を回転することにより、前面に仏壇１又は神棚２を位置せしめることができるのである。
　軸支は台４に下設した支持軸９をスラスト玉軸受１０を介在させて基台７の軸受部１１に緩挿した構成としたものである。
【００１３】
　符号８は、台４に当接して基台７から出没可能な又は抜き差し自在なストッパーピンであり、突出又は差し入れた時に台４の回転を阻止し、仏壇１及び神棚２の位置を固定するものである。
【図面の簡単な説明】
【００１４】
【図１】本考案の一実施の形態を示す正面図である。
【図２】図１の背面図である。
【図３】図１の側面図である。
【図４】他の実施の形態を示す側面図である。
【図５】他の実施の形態を示す内部構造を省略し一部切り欠いた側面図である。
【図６】要部断面図である。
【符号の説明】
【００１５】
　１　仏壇
　２　神棚
　３　箱体
　４　台
　５　接着剤
　６　仕切板
　７　基台
　８　ストッパーピン
　９　支持軸
　１０　スラスト玉軸受
　１１　軸受部
【図１】
0003099567.tif 000003
【図２】
0003099567.tif 000004
【図３】
0003099567.tif 000005
【図４】
0003099567.tif 000006
【図５】
0003099567.tif 000007
【図６】
0003099567.tif 000008
(57)【要約】【課題】無農薬水耕栽培のために種子洗滌装置を提供することを課題とする。【解決手段】回転する混練ミキサー型とし、ドラム２を設け、ドラムの中央に回転軸３を垂立し、前記回転軸に装着した複数の腕４とその各先端に取着した攪拌用羽根５とを、ドラムの下方に配置したモータで回動させて、ドラムの中の種子と水とを攪拌して洗滌する。ドラムはステンレス製として手入れし易いようにし、ドラムの底板１０の一隅に取出口を一個形成し、ドラムの底板の上面と取出栓の上面とは面一となるようにして回転洗滌中に種子を傷つけないように配慮した。【選択図】　　図３
0003098301.tif 000002
【実用新案登録請求の範囲】
【請求項１】
水と混合した種子（Ｗ）を収容するドラム（２）を設け、前記ドラム（２）の中心に垂立した回転軸（３）と、前記回転軸（３）に装着した複数の腕（４）と、前記各腕（４）の先端に取着した攪拌用羽根（５）とを、ドラム（２）の下方に配置したモータ（Ｍ）で回動させて種子（Ｗ）を洗滌する種子洗滌装置（１）であって、前記ドラム（２）はステンレス製とし、その底板（１０）の一隅にハンドル（８）により回転螺合する取出栓（７）を有する取出口（６）を１個形成したことを特徴とする種子洗滌装置。
【考案の詳細な説明】
【０００１】
【考案の属する技術分野】
水耕栽培における苗の消毒において最近は農薬使用忌避の傾向が強く、それに代わるものとして、播種前に種子をよく水洗いし、病原菌を圃場内に持ち込まないことにある。本考案は、そのための種子洗滌装置に関するものである。
【０００２】
【従来の技術】
従来このような装置はなく、水耕マットに既に種子が蒔かれ発芽した後に噴霧器等で農薬を撒布する他に手立てはなかった。
【０００３】
【考案が解決しようとする課題】
そこで本考案は、特にクリーンさを売り物にする水耕栽培農法のために、水洗いにより病原菌の洗滌除去を行う種子洗滌装置を採用した。
【０００４】
【課題を解決するための手段】
前記目的を達成するために、請求項１に係る考案は、水と混合した種子Ｗを収容するドラム２を設け、前記ドラム２の中心に垂立した回転軸３と、前記回転軸３に装着した複数の腕４と、前記各腕４の先端に取着した攪拌用羽根５とを、ドラム５の下方に配置したモータＭで同動させて種子Ｗを洗滌する種子洗滌装置１であって、前記ドラム２はステンレス製とし、その底板１０の一隅にハンドル８により回転螺合する取出栓７を有する取出口６を１個形成したことを特徴とする種子洗滌装置１としたものである。
【０００５】
【考案の実施の形態】
以下、図面を参照して本考案に係る種子洗滌装置１について説明する。図１は本考案の種子洗滌装置１を斜視図を示したものであり、図２は同じく本考案の種子洗滌装置１の斜め上方から見た態様を示したものであり、図３は本考案の種子洗滌装置１の一部断面図を示したものである。図４は本考案の種子洗滌装置１の取出口６の断面図（一部断面図）を示したものである。
【０００６】
請求項１に係る発明は、図１〜図４に示すように、水と混合した種子Ｗを収容するドラム２の中心に垂立した回転軸３と、前記回転軸３に装着した複数の腕４と、その前記各腕４の先端に取り付けた攪拌用羽根５とを、ドラム２の下方に配置したモータＭで回動させる種子洗滌装置１であり、その形態はほぼ混練ミキサー型のものであるが、ドラム２はステンレス材で形成されており、それは鉄製品と違い錆びないので手入れし易く、種子に錆が混入しない等の利点がある。
【０００７】
最近の食品について、消費者の農薬使用に対する態度が厳しくなり、それは水耕栽培製品においても例外ではなく、従来の育成過程において、病原菌を駆除するために噴霧器等で農薬を散布するようなことは、既に実施できなくなっている。それに代わるものとして、育成マットに播種する前の種子を回転型の種子洗浄装置により洗滌する手段がある。その洗滌時間は６〜８時間くらい必要であり、表皮を落としアクを抜いて、病原菌を除去することにあり、発芽し易くなるという利点もあった。
【０００８】
また、混練ミキサー型ではあるが、コンクリートミキサーのような排出口が開閉する扉で、そこに凹凸があっては困るので、本考案では長時間回転洗滌する際、種子を傷めないようにドラム２の底板１０が水平である必要があり、取出口６の取出栓７はハンドル８によるねじ込みで螺合するようにし、取出栓６の上面はドラム２の底板１０の上面とぴったりと面一に止まるようにした。
【０００９】
【考案の効果】
請求項１に係る考案の種子洗滌装置１は、回転型としたもので、時間を掛けて種子を洗滌し、取出栓の上面もドラムの底板上面と面一として隙間がなく洗滌時に種子を傷めず、ドラムもステンレス製としたため、手入れし易く種子に鉄錆が混入することがなく、また、予め種子の病原菌を洗滌除去することは、発芽後の農薬散布を省略できるという効果がある。
【図面の簡単な説明】
【図１】本考案の種子洗滌装置の斜視図を示したものである。
【図２】本考案の種子洗滌装置の斜め上方から見た態様を示したものである。
【図３】本考案の種子洗滌装置の一部断面図を示したものである。
【図４】本考案の種子洗滌装置の取出口の一部断面の断面図を示したものである。
【符号の説明】
Ｗ　　　種子
Ｍ　　　モータ
１　　　種子洗滌装置
２　　　ドラム
３　　　回転軸
４　　　腕
５　　　攪拌用羽根
６　　　取出口
７　　　取出栓
８　　　ハンドル
９　　　パッキン
１０　　　底板
１１　　　支持台
１２　　　車輪
１３　　　モータ室
１４　　　操作盤
【図１】
0003098301.tif 000003
【図２】
0003098301.tif 000004
【図３】
0003098301.tif 000005
【図４】
0003098301.tif 000006
【手続補正書】
【提出日】平成15年6月13日(2003.6.13)
【手続補正１】
【補正対象書類名】明細書
【補正対象項目名】０００６
【補正方法】変更
【補正の内容】
【０００６】
請求項１に係る考案は、図１〜図４に示すように、水と混合した種子Ｗを収容するドラム２の中心に垂立した同転軸３と、前記同転軸３に装着した複数の腕４と、その前記各腕４の先端に取り付けた攪拌用羽根５とを、ドラム２の下方に配置したモータＭで同動させる種子洗滌装置１であり、その形態はほぼ混練ミキサー型のものであるが、ドラム２はステンレス材で形成されており、それは鉄製品と違い錆びないので手入れし易く、種子に錆が混入しない等の利点がある。
(57)【要約】　　　（修正有）【課題】複雑な縫着を用いることなく、加熱により簡単に取り付けられる柄入りレースを提供する。【解決手段】上記の課題を解決させるために、本考案の柄入りレースは、レースの裏側に加熱により溶融接着する挿入糸を挿入し、花柄などの装飾が施されている地組織から形成されている。地組織の柄の部分には、先染め糸を使用すると多色のレースを作成することができる。さらに地組織を伸縮性のある組織で形成させておくことができる。【選択図】　図２
0003098303.tif 000002
【実用新案登録請求の範囲】
【請求項１】
レースの裏側に加熱により溶融接着する挿入糸を挿入させた柄入りレース
【請求項２】
柄の部分に先染め糸を用いた請求項１に記載の柄入りレース
【請求項３】
伸縮性を有する請求項１に記載の柄入りレース
【考案の詳細な説明】
【０００１】
【考案の技術分野】
本考案は、加熱により接着が可能な柄入りレースに関する。
【０００２】
【従来の技術】
従来、レース同士をつなぎ合せたり、生地端部にレースを付ける場合には縫製をしなければならず、その場合縫製作業には手間と熟練を要すると共に縫糸が表面または裏面に出てきてしまい、外観を損ねることがあった。
【０００３】
一方、アイロン等による加熱により接着する物として、衣服のすそ上げテープがあるが、機能上単色で無地であり、伸縮性のない物であった。
【０００４】
【考案が解決しようとする課題】
本考案は、複雑な縫着を用いることなく、加熱により簡単に取り付けられる柄入りレースを提供することである。
【０００５】
【課題を解決する手段】
上記の課題を解決させるために、本考案の柄入りレースは、レースの裏側に加熱により溶融接着する挿入糸を挿入し、花柄などの装飾が施されている地組織から形成されている。地組織の柄の部分には、先染め糸を使用すると多色のレースを作成することができる。さらに地組織を伸縮性のある組織で形成させておくことができる。
【０００６】
【考案の実施の形態】
以下、本考案の実施形態を添付図面に基づいて説明する。図１のＡはレース地の１経糸の図、Ｂはレース地の１経糸と３レース伸縮用のスパンデックス挿入糸を記入した図、Ｃはレース地の１経糸と４加熱溶融接着糸を記入した図、Ｄは１経糸と２緯糸を記入した図である。Ｅは、Ａ、Ｂ、Ｃ、Ｄを合わせた図で本考案の柄入りレースの一例を示した物である。１は、経糸で鎖編をしている。２は、緯糸でウェールを適宜連結させる糸であり、１経糸に２緯糸を挿入させることにより連結させている。また、２緯糸は、柄糸としてレース地の表側に挿入することにより、花柄などの柄模様を作り出している。柄糸は、先染め糸を使用することにより、多色柄のレースを形成することができる。３のレース伸縮用のスパンデックス挿入糸は、レースを伸縮させる為に挿入しており、１経糸に３レース用伸縮性のスパンデックス挿入糸を同一ウェールに毎コース挿入させることにより伸縮性を出している。４の加熱溶融接着糸は、レース同士または、生地との接着をするために挿入されている。
【０００７】
１経糸にはエステル、ナイロン等の合繊糸が使用され、２緯糸には、エステル、キュプラ、綿、ナイロン等が使用される。４加熱溶融接着糸は、ナイロン等のポリアミド繊維が使用される。
【０００８】
図２、図３は、本考案の熱接着柄入りレースの断面図であり、図２は、全ウェールに加熱溶融接着糸を挿入した図であり、図３は１ウェールおきに加熱溶融接着糸を挿入した図である。図２の様に全ウェール挿入すれば、接着面が増加して接着力が向上し、また図３の様に挿入間隔を広げることと使用する接着糸のデニールを変えることにより接着力を調整することができる。これにより、レースの仮止めや製品としてレースを生地に付ける等、用途によって適宜、接着強度を選択することができる。
【０００９】
【考案の効果】
本考案によれば、多色柄のデザイン性に優れたレースを縫製作業を経ることがなく、アイロン等により簡単に接着させることができる。
【図面の簡単な説明】
【図１】本考案の熱接着柄入りレースの組織図
【図２】本考案の熱接着柄入りレースの４加熱溶融接着糸を毎ウェール挿入した側面図
【図３】本考案の熱接着柄入りレースの４加熱溶融接着糸を１ウェールおきに挿入した側面図
【符号の説明】
１　　経糸
２　　緯糸
３　　レース伸縮用のスパンデックス挿入糸
４　　加熱溶融接着糸
５　　柄糸
【図１】
0003098303.tif 000003
【図２】
0003098303.tif 000004
【図３】
0003098303.tif 000005
(57)【要約】【課題】冬季、自動車下車時、静電気による指先の感電ショックによる煩わしさ及び不快感を取り除く事。【解決手段】自動車ドア内側の下車する間際に必然と手を当てる部位に導電性シートをシール等で接着しておきこの一部を張り出させ且つ折り曲げてドア横面に電気的に接続し下車時に感電ショックを感じず短絡させる。【選択図】　　図１
0003098306.tif 000002
【実用新案登録請求の範囲】
【請求項１】
自動車下車時、必然とドア内側の最終的に手を当てる場所に導電性シートを貼り付けて下車間際静電気を車体に短絡する用具。
【請求項２】
導電性シートをドア内側へ取り付ける場合にシールを枠取りし貼り付ける用具。
【請求項３】
片面導電性シートを車体に電気的に接続するためシートの一部を張り出させ且つ折曲げ、ドア横端部に粘着テープで固定する用具。
【考案の詳細な説明】
【考案の属する技術分野】冬季、自動車から降りる際の静電気による感電を無意識の内に防止する用具で環境にも、人体にも優しく構成されている。
【従来の技術】従来の静電気対策は、下車してから自動車のドア外側に車のキー等の金属片で２、３度軽く接触させる方法、或は下車の際自動車の車体を触れながら降りる方法で、帯電の有無に係らず数ヶ月間もの間意識的に短絡しなければならなかった。
【考案が解決しようとする課題】静電気による感電ショックを四季に係らず無意識の内に防止する事。
【課題を解決するための手段】この課題を解決する手段として、自動車ドアの内側に車体と電気的に接続した導電性用具を取り付け下車の際無意識の内に必然と手を当てる事で短絡し解決される又、キー等の金属片を持ち合せていない場合の助手席や後部座席の人にも有効である。
【考案の実施の形態】本考案は、冬季自動車下車の際に発生する静電気による指先の感電ショックを防止する用具で、これをシールテープ等により車ドア内側に取り付けドアと電気的に接続する方法である。
【考案の効果】導電性シートの用具を用い下車間際必然と触ることにより体が帯電したか否かに係らず無意識の内に短絡し、感電ショックの煩わしさが解決される。
【図面の簡単な説明】
【図１】平面図である
【図２】側面図である
【符号の説明】
１　導電性シート
２　シールテープ
３　粘着テープ
【図１】
0003098306.tif 000003
【図２】
0003098306.tif 000004
(57)【要約】【課題】ペットボトルキャップに注ぎ口を付けて、口を付けずに万人に飲みやすくする。【解決手段】本考案は半開口ペットボトルキャップ１に２の注ぎ口を付け、３の軟性チューブにて吸気道を確保し、流水量を一定にした。【選択図】図１
0003098307.tif 000002
【実用新案登録請求の範囲】
【請求項１】
ペットボトルのキャップに注ぎ口を付けるとともに、更にキャップを被せる事を特徴とするペットボトルの注ぎ口。
【考案の詳細な説明】
【０００１】
【考案の属する技術分野】
本考案は、ペットボトルキャップに注ぎ口を付けた、注ぎ口に関するものである。
【０００２】
【従来の技術】
ペットボトルの飲料をまわし飲む際、ボトル口に直接、口を付けるか、特許出願２０００−３１９１７３のようにノズル付きのボトルキャップを使用していた。
【０００３】
【考案が解決しようとする課題】
ペットボトルを回し飲みするときに口を付けずに衛生的に回し飲みしたい。
ペットボトルから流出する水量を一定にしたい。
【０００４】
【課題を解決するための手段】
本考案は、ペットボトルキャップに注ぎ口を付け、更に吸気道を取り付けることにより、口を付けなくても、流出する水量を一定にし、飲むことを可能とした。また、注ぎ口を取り付けたキャップの上に更にキャップを付け、残水がこぼれない様にした。
【０００５】
【考案の実施の形態】
ペットボトルキャップの約半分を開口し、その辺縁に傾斜角のある注ぎ口を付けた。閉口した約半分の上部に吸気口をあけスムースに吸気できる様に、ストロー様の気道を作成した。
そのキャップに更に開閉できるキャップを付けた。
【０００６】
【実施例】
以下、添付図面に従って一実施例を説明する。１はプラスチック等適時素材にて形成された半開口ペットボトルキャップ。２はプラスチック等適時素材にて形成された傾斜角の付いた注ぎ口。３は１に固定された軟性チューブのストロー。４は１のキャップ。５は１と４をつなぐ軟性プラスチック等適時素材にて形成された継ぎ手である。
【０００７】
【考案の効果】
スポーツ現場などでペットボトルによって飲水を行う場合、手間などを考えると回し飲むことが多い。この際、口を付けて飲む場合がほとんどである。口を付けての回し飲みは、不衛生である。しかし、ペットボトル口の形状上、流出する水量が一定ではない事が問題である。そこで本考を使用することによって口を付けずに流出する水量を一定にし、更に衛生的に回し飲むことが期待できる。
【０００８】
【図面の簡単な説明】
【図１】正面図
【符号の説明】
１半開口ペットボトルキャップ
２傾斜角付き注ぎ口
３軟性チューブストロー
４キャップ
５継ぎ手
【図１】
0003098307.tif 000003
【手続補正書】
【提出日】平成14年12月19日(2002.12.19)
【手続補正１】
【補正対象書類名】明細書
【補正対象項目名】実用新案登録請求範囲
【補正方法】変更
【補正の内容】
【実用新案登録請求の範囲】
【請求項１】ペットボトルキャップ上面の半分を開口し、その辺縁に傾斜角のある注ぎ口を付けるとともに残り半分の閉口面に吸気口を取り付ける。更に、それらの上からキャップを被せることを特徴とするペットボトルの注ぎ口。




【手続補正書】
【提出日】平成15年3月8日(2003.3.8)
【手続補正１】
【補正対象書類名】明細書
【補正対象項目名】実用新案登録請求の範囲
【補正方法】変更
【補正の内容】
【実用新案登録請求の範囲】
【請求項１】
ペットボトルキャップ上面半分を開口し、開口部辺縁を高くし傾斜角のある注ぎ口を付けるとともに残り半分の閉口面に吸気口を取り付け、更にその上からキャップを被せることを特徴とする注ぎ口付きペットボトルキャップ。
(57)【要約】　　　（修正有）【課題】価格の低減が可能で、しかも工法が簡単で、地震に備えた木造構造を提供する。【解決手段】部材桁に設けたホゾ穴６に柱の端部に設けたホゾ５を挿し込んで組上げる工法において、柱端部のホゾに接着剤を塗布して、ホゾ穴に挿し込み組上げることを特徴とする。【選択図】　図１
0003098304.tif 000002
【実用新案登録請求の範囲】
【請求項１】
現在ありふれている一般住宅、在来工法等柱、土台、桁を現在ありふれている木工ボンドを用いて柱と土台の取付接着部分の通称ホゾと穴の部分を木工ボンドで接着し地震に備える工法であり、今一般に使用されている耐震金具等は必用しなくなる以上の効果を発揮することをいう
【考案の詳細な説明】
【０００１】
【考案の属する技術分野】
本考案は現在ありふれている住宅の軸組の耐震金具部分を金具より強度な軸組接着を目的したものである。そのため組立軸組すべてをここでいう
【０００２】
【従来の技術】
本来この工法が無ければ今まで地震などではホゾと穴がはずれ家の崩壊が多く金具等で止めていた。
【０００３】
【考案が解決しようとする課題】
現在一般住宅でありふれている地震に備えた耐震金具よりも工事金額及び施工金額に於ても安くできることと接着もすぐれている
【０００４】
【課題を解決するための手段】
本考案は現在一般住宅で耐震金具が必ず取付が必用とされている現在、金具以上に接着が強く、この法を方法すれば住宅軸組時に接着ボンドを塗るだけの短に時間で施工ができ、現在行っている金具加工や金具取付などの手間暇がかかっており、工事金額も高くつく等の問題点が解決される
【０００５】
【実施例】
以下は添付図面に従って一実施例を説明する▲１▼は住宅在来工法の一般住宅の土台を示してあり▲７▼は柱を示す。それに対して▲５▼が一般に言う通称ホゾを示し▲６▼はその施工法による穴を示している今回の目的は▲５▼と▲６▼が強度地震ではずれるため、現在一般に出ている木工ボンボで接着してしまう　と言うことであるこれは軒組工法の接続部分のすべてを木工ボンドで接着するためのものである
【図面の簡単な説明】
【図１】一般住宅の軸組図を示す。
【符号の説明】
▲１▼　土台　　　▲５▼　ホゾ
▲２▼　桁　　　　▲６▼　穴
▲３▼　桁　　　　▲７▼　柱
▲４▼　土台
【図１】
0003098304.tif 000003
【手続補正書】
【提出日】平成14年6月21日(2002.6.21)
【手続補正２】
【補正対象書類名】明細書
【補正対象項目名】実用新案登録請求の範囲
【補正方法】変更
【補正の内容】
【実用新案登録請求の範囲】
【請求項１】
ホゾ部に接着材を塗った柱を、このホゾ部に対応する穴を有する部材桁に接続することを特徴とする組立軸組。
(57)【要約】　　　（修正有）【課題】コンクリート基礎工事を天候や気象条件の障害を受けることなく容易に工期短縮ができるコンクリート基礎を提供する。【解決手段】コンクリート基礎部分を部分別に分割作成し各部に連結部分を設け、連結部分の材料及び連結部品の材質は必要な強度により容易に変更可能とした。【選択図】　図２
0003098302.tif 000002
【実用新案登録請求の範囲】
【請求項１】
建物のコンクリート基礎部分を各部分別に分割して作成し、各部分の任意の場所に連結部分を設けたことを特徴とする、連結式コンクリート基礎。
【請求項２】
連結部の形状や連結部分の材料及び連結部品の材質等は必要強度等により容易に変更できることを特徴とした、連結式コンクリート基礎。
【請求項３】
分割した基礎部分には通常の基礎と同様に任意の場所に通風口を設けることができ、同様にボルト、メネジアンカー、及び他のコンクート部分との接合に必要な鉄筋等の配筋を設けることのできることを特徴とした、請求項１、２記載の連結式コンクリート基礎。
【考案の詳細な説明】
【０００１】
【考案の属する技術分野】
この考案は、建物のコンクリート基礎部を各部分別に分割して連結部分を設け、作成することにより基礎の精度の維持、移動、運搬、組み立てが容易であり天候等が支障とされるコンクリート基礎作業の工期短縮を目的とした、連結式コンクリート基礎に関するものである。
【０００２】
【従来の技術】
従来、建物のコンクリート基礎は工事現場で鉄筋を配筋し、型枠を組みコンクリートを流し込んで作成するものであった。
【０００３】
【考案が解決しようとする課題】
この考案は従来の工法では天候や、特に寒冷地では温度によるコンクリートの硬化時間等に支障があり、基礎工事の工期短縮は困難であった。
本考案はこれらの欠点を除くためになされたものである。
【０００４】
【課題を解決するための手段】
上記目的を達成するため、コンクリート基礎部を図１のように各部分別に、図２、図３のような連結部を設けた部分別に分割、作成することにより移動、運搬、設置、組み立て、連結が容易にできるものである。
【０００５】
前記の分割したコンクリート基礎には通常の基礎同様に内部には強度に応じた鉄筋を配筋し、図２のように連結部分には強度に耐える鉄板を内部の鉄筋と結合して設け、埋め込み、ボルトや金具で連結するものである、また鉄板やボルトの錆による障害には連結部分に溝（２）を設け、モルタルを埋め込んだり、塩害の発生地域での施工には材質をステンレスや真ちゅう材、亜鉛メッキ等に容易に変更でき、ボルトの材質、太さや数量も同様に変更できるものである。
【０００６】
前記の分割したコンクリート基礎には通常の基礎のようにあらかじめ通風口を設けることもでき、建物の土台となる木材との接合に必要なボルトやアンカーを埋め込むことや他のコンクリート部との接合のためのボルト、アンカー、鉄筋等も必要に応じて設けることができるものである。
【０００７】
前記の分割したコンクリート基礎を地中埋設部分も一体に成型して連結することもできるものである。
【０００８】
【考案の実施の形態】
以下に本考案の連結式コンクリート基礎の実施の形態について詳細に説明する。
図１は本考案の第１の具体例であり、図１のように部分別に分割作成した基礎に図２の直線連結及び図３のＴ型連結部を設け、施工現場にて設置、組み立て、連結することにより容易に建物の基礎工事ができるものである。
【０００９】
【実施例】
以下に本考案の実施例について説明する。
（イ）図１は本考案の第一の具体例であり、図１の分割した基礎を施工現場にて必要に応じて配置して、図２、図３のように直線連結又はＴ型連結して組み立て、図３のようにボルト、ナット（４）や、メネジアンカー（５）、金具で固定するものである。
（ロ）各連結部分には図２のように強度に耐える鉄板（１）を内部に配した鉄筋と結合してコンクリートで一体成型したものである。
（ハ）土間コンクリートの鉄筋との結合に必要なボルトや鉄筋は図４のように内部鉄筋と結合した鉄筋（７）及び下部メネジアンカー（４）にボルト（８）を設けることにより対処できるものである。
（ニ）建物の土台となる木材や鉄骨との接合には図４のように上部メネジアンカー（３）にボルト、ナット（９）を設け木材（１０）との接合ができるものである。
【００１０】
【考案の効果】
本考案は、以上のような簡単な構成でこれを使用することにより、気象条件や寒冷地での気温に左右されるコンクリート基礎工事の工期短縮が容易にできるものである。
【図面の簡単な説明】
【図１】本考案の部分別に分割した連結式基礎の平面図である。
【図２】本考案の第一の具体例を示す連結部分の斜視図である。
【図３】本考案の第一の具体例を示す連結部分の断面図である。
【図４】本考案の第一の具体例を示す基礎部分の断面図である。
【符号の説明】
１　　鉄板　　　　　　　　　（各連結部）
２　　溝　　　　　　　　　　（モルタル埋め込み用）
３　　上部メネジアンカー
４　　下部　　〃
５　　締め付け金具　　　　　（ボルト、ナット等）
６　　側面部メネジアンカー　（Ｔ型連結用）
７　　鉄筋　　　　　　　　　（他部分との結合用）
８　　ボルト　　　　　　　　（　　　〃　　　　）
９　　ボルト、ナット　　　　（木材及び鉄骨部分との接合用）
１０　　木材
【図１】
0003098302.tif 000003
【図２】
0003098302.tif 000004
【図３】
0003098302.tif 000005
【図４】
0003098302.tif 000006
(57)【要約】【課題】本考案の課題は、茄子がなぜ縁起の良い植物なのかを知らせ、その縁起の良い茄子の形を活かして菓子を造り、その菓子に縁起文言、寺社名、紋章などを表記し、菓子の販売を促進し菓子を通して、寺社や茄子の縁起、を顕彰することにあります。【解決手段】茄子の縁起の顕彰は菓子という食物に表記する方法をとり、その縁起の象徴を茄子形で表現し、この茄子形菓子が容易に、安価に、安全に製造出来る茄子形容器、茄子形焼き器具、和洋菓子製造器具を考案、さらに製造菓子に寺社名や紋章、桂字などを表記し、文化の継承と菓子販売効果を上げ、地域の発展と前記課題を解決するものであります。【選択図】　図３
0003098310.tif 000002
【実用新案登録請求の範囲】
【請求項１】
茄子の形に作った菓子。その菓子に寺社名や紋章、寿、大金、開運、などの佳字、文言、詩歌などを菓子に表記、または表記した小物とその他の小物を添付した、茄子の形をした和菓子と洋菓子。
【請求項２】
茄子の形に作った容器で作った和洋菓子と、その容器または盛り合わせ容器に小型菓子をセット詰めした菓子に寺社名や紋章、愛、縁、美、芸、学、健などを表記した茄子の形をした和菓子と洋菓子。
【請求項３】
長茄子、小茄子など茄子の形をした焼き型器具を作り、その茄子形焼器具で作った茄子形焼き和洋菓子と、その和洋菓子に寺社名や紋章、寿、金、財、宝、福、幸、吉などを表記、または焼き込み表記した茄子の形をした和菓子と洋菓子。
【考案の詳細な説明】
【０００１】
【考案の属する技術分野】
本案は、植物の茄子を形とした和菓子と洋菓子に関するもので、この茄子形の菓子に寺社名、紋章、祈願文、佳字、文言、詩歌、などを表記、または表記した物や他物を添付して祝いの良き記念物や観光土産とするものです。
なお茄子は、茄子に無駄花なし。の謂われあり縁起ものとして崇拝されています。
【０００１】
【従来の技術】
従来現今、茄子の形をした和菓子も洋菓子も、市中の菓子店や、物産展、土産店などに見受けられません。縁起の良い茄子なのだから、縁日の露天商などに茄子形の、茄子・成す饅頭、開運、良縁、美人成す焼、など茄子形焼なるものがあったら良いと思うのですが、鯛焼、大判焼はあるが茄子形焼はありません。
【０００３】
【考案が解決しようとする課題】
従来の技術で述べましたが第一の課題は、茄子がなぜ縁起の良い植物なのか、良く知られて得ないことにあります。
第二の課題は、その茄子の形を活かした味の良い和菓子、洋菓子、の製造に着目していないこと。第三は、鯛焼き器のような茄子形焼きなどの製造機器がないことなどによります。前記課題を解決し明るく楽しい生活に貢献することにあります。
【０００４】
【考案が解決するための手段】
上記の問題点第一課題を解決するため、茄子の縁起解説書を作成します。なお、この解説の文言を、額形の板菓子や観光絵菓子など製作、この菓子に表記します。また菓子パッケージ表記や小冊子添付などをおこない解決しています。
【０００５】
第二の課題は、茄子形の容器をつくり中身に和洋菓子を詰めた、茄子形菓子を製造します。この特徴は、季節や客の好みに合わせて生菓子などもセットできるので、美味の創造が豊かとなります。また食品最大の課題、腐敗の欠点を払拭しています。
【０００６】
第三の課題は、茄子形菓子造り機器がなかったことにあります。お客様の面前で焼きあげができる、茄子形菓子焼き機器を作成しました。
茄子の形は、一般的な食用茄子の他に、長、小、丸、巾着、茄子などと呼び名も種類も多くありますので、茄子形菓子は変化にとんだ形の菓子ができます。これに、縁起文言や寺社名、紋章などを表記し観光土産を造り解決しています。
【０００７】
【考案の実施の形態】
考案の実施の形態を図面により説明します。
図１，は、茄子の縁起文言、寺社名などを表記した菓子を一例とした見取り図です。
▲１▼は、夫婦茄子形　▲２▼は、巾着茄子形　▲３▼は長茄子形　ビスケット、洋菓子を例としたもので、茄子の由緒、縁起文を表記した茄子形の一例。
図２，は、茄子形の容器を使用した和洋菓子を一例とした見取り図です。
▲４▼は俗称巾着茄子の形の容器、▲５▼は陶磁器茄子形容器で紅白饅頭を製造した、夫婦茄子・成すの例。▲６▼は、小茄子を詰めた例。なお、形や表記文字の異なった菓子を詰め変化が楽しめます。
図３，は、茄子形の菓子焼き器具と器具を使った菓子の一例の見取り図です。
▲７▼は、大茄子形の焼き型器具の例。▲８▼は夫婦茄子焼き型　▲９▼は巾着茄子を焼き型とした例で、焼き菓子は餡を入れた饅頭（鯛焼きふう）を主としまです。▲１０▼は小茄子を源形とした製造器具の例。この器具で和洋菓子を製造します。この器具による菓子は茄子の原形の物を作ります。▲１１▼は、原形小茄子菓子の例です。
【０００８】
【考案の効果】
本考案は上述のとおりであります。
【０００９】
茄子の縁起の顕彰を菓子という食べ物を通して実践したことにより、食文化のなかに定着し永久に絶えることのない効果を上げ得ることができています。
【００１０】
茄子の形を多角的に菓子造りに取り入れたことは、茄子の持つ形状の美の鑑賞とその種類の豊富さをしらしめる効果を上げています。
【００１１】
茄子の形の容器、茄子型焼き器、菓子焼き機器の製作により、より手軽に、即時に、そして長期保存菓子のお好みセット商品の容器利用と、効果をあげています。
【００１２】
【図面の簡単な説明】
【図１】は、本考の茄子形の菓子に、茄子の由緒、縁起文言、寺社名などを表記したした菓子を例とした見取り図です。
【図２】は、茄子形の容器と器具とした和洋菓子を一例とした見取り図です。
【図３】は、茄子形の菓子焼き機器の例と製造菓子の見取り図です。
【符号の説明】
▲１▼．夫婦茄子形
▲２▼．巾着茄子形
▲３▼．長茄子形
▲４▼．巾着茄子形容器
▲５▼．容器で作った饅頭。
▲６▼．容器詰め菓子。
▲７▼．大茄子形の焼き型具。
▲８▼．夫婦茄子形の焼き型。
▲９▼．巾着茄子形の焼き型。
▲１０▼．原形菓子製造器具
▲１１▼．原形の小茄子菓子
【図１】
0003098310.tif 000003
【図２】
0003098310.tif 000004
【図３】
0003098310.tif 000005
【手続補正書】
【提出日】平成15年5月6日(2003.5.6)
【手続補正１】
【補正対象書類名】明細書
【補正対象項目名】実用新案登録請求の範囲
【補正方法】変更
【補正の内容】
【実用新案登録請求の範囲】
【請求項１】
（１）寺社名や紋章縁起文言詩歌などを表記した茄子の形をした菓子。
（２）前記（１）の菓子のパッケージに茄子を表記した茄子形の菓子の宣伝。
（３）前記（１）の菓子に茄子形のマスコットなどを添付またはセット詰めした茄子形の菓子。
【請求項２】
茄子形の菓子容器や茄子形パッケージに小型菓子を組み合わせたてセット詰めした菓子。
【請求項３】
茄子形菓子製造用焼き型機器により製菓しその菓子に、寺社名や縁起文言などを焼き込み表記した菓子。
【手続補正書】
【提出日】平成15年7月15日(2003.7.15)
【手続補正１】
【補正対象書類名】明細書
【補正対象項目名】請求項１
【補正方法】変更
【補正の内容】
【請求項１】
茄子の形をした菓子であってその菓子に寺社名や紋章縁起文言詩歌などを菓子に表記し、茄子形のマスコットなどを貼付またはセット詰めした、茄子の形をした菓子。
(57)【要約】　　　（修正有）【課題】生花と花器の位置関係は作者が美観上求める最適な位置に自由に置くことが出来、制作した生花の容姿、形状が安定して保たれるようにする。【解決手段】花器１の中で剣山２等花止め具を作者が求める位置に自由に置く事が出来、且つ花器と剣山等花止め具を補助部品４を用いて堅固に一体化する手段を取る。【選択図】図２
0003098313.tif 000002
【実用新案登録請求の範囲】
【請求項１】
花器底部に剣山等花止め具を固定するための棒状部品を嵌合する事が出来る凹形穴を有する花器
【図２】と、花器に剣山等花止め具を取り付けるための橋渡し用部品を取り付けられる様に、花器の内壁に少なくとも二箇所に棚状張り出し部を設けた花器
【図３】。
【考案の詳細な説明】
【利用分野】
生花用花器分野。
【従来の技術】
生花を花器に止める方法は、ほぼ次の５種類である。
１．花器の底に直接、剣山と呼ばれる花止を置き、生花を止める。
２．花器に円盤状の板、砂、砕石等を入れ、高さを調節して、その上に剣山を置き、生花を止める。
３．細長い円筒状の花器では籐や金属でＹ字状に加工した部品で生花を止める。
４．花器にスポンジ状の補助材を詰め込み、それに生花を刺して止める。
５．花器内に部材、補助材を使用せず、花器の内面と口縁に生花を当てて止める。
以上の従来の技術では作者が制作しようとする容姿、形状に花を止め、保つには不十分である。特に１．においては生ける花材が大きく重い場合に、大きくて重い剣山を必要とする。
【考案が解決しようとする課題】
生花と花器の位置関係は作者が美観上求める最適な位置に自由に置くことが出来、制作した生花の容姿、形状が安定して保たれるようにすることが課題である。
【課題を解決する為の手段】
花器の中で剣山等花止め具を作者が求める位置に自由に置く事が出来、且つ両者を堅固に一体化する手段を取る。
【考案の実施の形態】
花器の製作過程で本目的に必要な加工を施した花器と、裏面に必要な加工を施した剣山等花止め具と両者を接続するための部品でもって実施の形態となす。
【実施例】
花器の直径が小さく剣山等花止め具を前後左右に移動する必要が無いものは、剣山等花止め具の上下位置のみを決める。例えば花器の底中央部に凹形穴を穿ち、適切な長さの棒状部品の一方を花器凹形穴に嵌合し、他方を剣山の裏面凹形穴に嵌合させることで本考案の目的を達する。
【図２】参照
花器の直径が大きく主に剣山等花止め具を前後左右、任意の位置に固定する場合は、花器内壁の同高さ少なくとも二箇所に棚状張り出し部を設ける。該張り出し部間に板状橋渡し部品で橋渡しし、固定する。固定方法は該張り出し部に凸状突起部を設け、板状橋渡し部品には固定用の穴を開けておき、嵌合する。該橋状部品の任意の位置に複数の穴を開けておく。作者は最も良い位置の穴に剣山等花止め具を置き、橋と剣山等花止め具をボルト等で固定することで安定した状態で作品を制作することが出来る。
【図３】参照
【考案の効果】
【１】本考案により剣山等花止め作業が安定した状態で行えるようになり、作品の制作環境、保守ともに良好になる。
【２】本考案により剣山等花止め具の重量に花器、及び花器に入れた水の重量が加わり安定化に寄与する。又逆にその分剣山等花止めを軽く小さくする事ができ、作品の花と水際がすっきりし芸術性が高まる。剣山等花止め具の原価低減も計れる。
【図面の簡単な説明】
【図１】従来の技術の一例であり、花器に砂、砕石等を入れ、高さを調節して、その上に剣山を置き、生花を止める。特に生ける花材が大きく重い場合に、大きくて重い剣山を必要とする。
【図２】花器の直径が小さく剣山等花止め具を前後左右に移動する必要が無いものは、剣山等花め具の上下位置のみを決める。例えば花器の底中央部に凹形穴を穿ち、適切な長さの棒状部品の一方を花器凹形穴に嵌合し、他方を剣山の裏面凹形穴に嵌合させる。
【図３】花器の直径が大きく主に剣山等花止め具を前後左右、任意の位置に固定する場合は、花器内壁の同高さ少なくとも二箇所に棚状張り出し部を設ける。該張り出し部間に板状橋渡し部品で橋渡しし、固定する。固定方法は該張り出し部に凸状突起部を設け、板状橋渡し部品には固定用の穴を開けておき、嵌合する。該橋状部品の任意の位置に複数の穴を開けておく。作者は最も良い位置の穴に剣山等花止め具を置き、橋と剣山等花止め具をボルト等で固定することで安定した状態で作品を制作することが出来る。
【符号の説明】
１．花器
２．剣山
３．砂、砕石等
４．棒状部品
５．凹形穴
６．凸状突起部
７．板状橋渡し部品
８．穴
９．ボルト等
【図１】
0003098313.tif 000003
【図２】
0003098313.tif 000004
【図３】
0003098313.tif 000005
【手続補正書】
【提出日】平成15年6月20日(2003.6.20)
【手続補正２】
【補正対象書類名】明細書
【補正対象項目名】実用新案登録請求の範囲
【補正方法】変更
【補正の内容】
【実用新案登録請求の範囲】
【請求項１】
花器底部に剣山等花止め具を固定するための棒状部品を嵌合する事が出来る凹形穴を有する花器
【請求項２】
花器に剣山等花止め具を取り付けるための橋渡し用部品を取り付けられる様に、花器の内壁、少なくとも二箇所に棚状張り出し部と、該張り出し部に橋渡し用部品固定用の凸形突起を設けた花器。
(57)【要約】　　　（修正有）【課題】この考案はボデイマネキンの空中軸の屈曲自在に動く横軸の先端に布きりハサミを取付け下部の回転脚を回転させながらスカートやワンピースの裾を水平均等にカットするものである。【解決手段】ボデイマネキンに洋服を着せ目的の丈に横軸を固定し脚下部の回転脚を回しながら横軸の先端に取付けた布きりハサミでカットしていくと裾線が水平均等になりきれいなシルエットになる。どんな織物ニットでもまたどんなデザインの洋服でも裾線がきれいに仕上がる。【選択図】　図１
0003098314.tif 000002
【実用新案登録請求の範囲】
【請求項１】
下半身ボデイ−マネキンの空中軸に屈曲自在の横軸にハサミを脚下部に回転脚を取付けた裾水平カット機。
【考案の詳細な説明】
【０００１】
［考案の属する技術分野］
この考案は下半身ボデイ−マネキンの空中軸に屈曲自在の横軸に布きりハサミを取付け脚下部を回転させながら裾を水平にカットするよう工夫されたものである。
【０００２】
［従来の技術］
従来　布地の裁断はパターンにそって平面でカットしていたがバイヤス地の場合布地の種類によって着用したとき裾線が均等水平にならない。
【０００３】
［考案が解決しようとする課題］
本案はその欠点を除いて裾線を均等　水平にしかもシルエットをきれいに仕上げようとするものである。
【０００４】
［課題を解決するための手段］
フレアーになっている洋服は着丈を少し長めに裁ち　本考案のボデイに着せて脚下部を回転させながら決められた長さにセットされた横軸に　取付けた布きりハサミで水平均等にカットる。
【０００５】
［考案の効果］
どんな布地でも　どんなデザインでも裾線をきれいに水平均等に仕上げしかもシルエットの素晴らしいものになる。
【図面の簡単な説明】
【図１】本案の正面図
【符号の説明】
１は　ボデイマネキン
２は　布きりハサミ
３は　回転横軸
４は　空中軸
５は　回転脚
【図１】
0003098314.tif 000003
【手続補正書】
【提出日】平成15年6月23日(2003.6.23)
【手続補正１】
【補正対象書類名】明細書
【補正対象項目名】実用新案登録請求の範囲
【補正方法】変更
【補正の内容】
【実用新案登録請求の範囲】
【請求項１】
（イ）ボデイマネキンの空中軸（４）の中央部に屈曲自在の回転横軸（３）を付け下部に回転脚（５）を設ける。
（ロ）回転横軸（３）の先端部の上に布きりハサミ（２）を設ける。
以上の如く構成された　裾水平カット機。
【手続補正２】
【補正対象書類名】明細書
【補正対象項目名】考案の詳細な説明
【補正方法】変更
【補正の内容】
【考案の詳細な説明】
【０００１】
［考案の技術分野］
この考案はボデイマネキンの中央部に回転横軸を付けその先端部に布きりハサミを取付け脚下部の回転脚を回転させながらボデイに着せた衣服の裾を水平　均等にカットするよう工夫されたものである。
【０００２】
［従来の技術］
従来　衣服の布地の裁断は型紙を布地の上にセットして型紙にそって布地をカットしていた。この場合　布地の種類や衣服のデザインによっては着用した時裾線がきれいに水平　均等にならない。
【０００３】
［考案が解決しようとする課題］
本考案はその欠点を除いてどんな種類の布地でも　どんなデザインの衣服でも自然に裾線を水平　均等にしかもシルエットをきれいに仕上げようとするものである。
【０００４】
［課題を解決するための手段］
スカート　ワンピース等の洋服は着丈を長めに裁ち　本考案のボデイに着せて脚下部の回転脚を回しながら決められた着丈にセットされた回転横軸に取付けた布きりハサミで水平　均等にカットする。
【０００５】
｛考案の効果｝
どんな種類の布地でも　どんなデザインの洋服でも裾線をきれいに水平均等に仕上げ　しかもシルエットが素晴らしいものになる。
(57)【要約】【課題】路上において、向かって来る自動車の　減速・停止・発進の動きをより確実に判断出来るようにする。【解決手段】自動車の前部分にストップランプを取り付ける。【選択図】　図１
0003098319.tif 000002
【実用新案登録請求の範囲】
自動車において後部のみだったストップランプを、前部にも取り付ける。
【考案の詳細な説明】
【０００１】
【考案が解決しようとする課題】
歩行中及び運転中、対向している自動車の動き（減速・停止・発進）が　確認しにくく、間違った判断が危険を招くことがある。
【０００２】
【課題を解決するための手段】
従来、後部のみだったストップランプを　連動して前部分（中央１箇所又は左右で２箇所）にも取り付ける。
【０００３】
【考案の効果】
路上において、周囲から向かって来る自動車の動き（運転者の意志）の読み取りが容易になり、思い込み動作による危険性が減り、安全に円滑な行動ができるようになる。
【図面の簡単な説明】
【図１】取り付け例の図である。
【符号の説明】
１　ハイマウント型ストップランプ
２　グリル埋め込み型ストップランプ
３　ライト一体型ストップランプ
４　バンパー埋め込み型ストップランプ
【図１】
0003098319.tif 000003
【手続補正書】
【提出日】平成15年7月11日(2003.7.11)
【手続補正１】
【補正対象書類名】明細書
【補正対象項目名】実用新案登録請求の範囲
【補正方法】変更
【補正の内容】
【実用新案登録請求の範囲】
【請求項１】
後部のみだったストップランプを前部にも付けて、安全性を向上させた自動車。
(57)【要約】　　　（修正有）【課題】箸では取りずらい魚の骨を指を汚さずに、簡単に指で摘んで取る事ができる魚の骨取りペイパーを提供する。【解決手段】本考案は魚の形をした、魚の骨取りパイパーで、魚の骨を掴む紙の片面は、耐油処理を施した紙で、魚の骨を掴んだ時、魚の油がしみてこないので、指を汚さずに魚の骨をきれいに取ることができる。【選択図】図２
0003098316.tif 000002
【実用新案登録請求の範囲】
【請求項１】
魚の骨を摘む魚の骨取り紙。紙の片面は、耐油処理を施した紙で魚の油がしみない。指先で摘むのに適切なサイズでしかも魚の形で可愛らしく食卓を演出する。
【考案の詳細な説明】
【０００１】
【考案の属する技実分野】
本考案は、指先で摘むのにちょうど良いサイズの魚の形をした紙で、魚の骨が掴みやすく、紙の片面は耐油性処理を施した紙で、骨を掴んだ時に指に魚の油がしみないので指を汚さない。
【０００２】
【従来の技術】
従来の技術は存在せず、指で魚の尾を掴んで骨を取り、汚れた指をお手ふきでふいていた。
【０００３】
【考案が解決しょうとする課題】
魚の尾から顔にむかってある一本の骨を取る時に箸で取ろうとすると非常に取りずらく、めんどくさい。指で取るのが一番良いが、指が生臭くなる。
本考案の魚の骨取りペイパーで魚の尾を摘めば指を汚さずに、簡単にきれいに骨が取れます。
【０００４】
【課題を解決するための手段】
本考案の魚の骨取りペイパーは紙の片面に耐油性処理を施してあるやや硬めの紙を使用しているため魚を摘んでも、魚の油が指にしみてこないところが問題点を解決している。
【０００５】
【考案の実施の形態】
紙の片面は耐油性処理を施した紙で、耐油性処理を施した面を内側にして半分に折り曲げて折り曲げた部分を魚の背ひれにして顔を右側、尻尾を左側にして魚の形に切り取り魚の絵を描く。折り曲げた部分を上にして立てる。魚の腹の部分を指で掴み魚の尻尾を掴んで尾っぽから頭までの一本の骨を取る。
【０００６】
【実施例】
以下、添付図面に添って実施例を説明する。
表側の紙の面に、魚の背ひれを中心にシンメトリーに魚の形に描き、魚の形に切り取る。図１の１の部分の魚の背ひれで紙を折り曲げ摘みやすく立てて置く。魚の腹のところを指で軽く持ち、内側の耐油処理を施した面で、はさむようにして魚の尾っぽの骨をつかみ骨を取る。
【０００７】
【考案の効果】
従来は本考案のような手を汚さない魚の骨取りペイパーは存在せず、指で魚のしっぽを掴み手を汚していたが、このペイパーを使えばまったく手が汚れない。
魚の油は、魚を掴む面が耐油処理をした紙なので指に油がしみてこない。焼き魚で、鯵、鯛、秋刀魚、鯖やカマス等の干物類を食べるとき、食卓の上に魚の形をした、本考案の魚の骨取りシートがあると可愛らしいく食卓を演出できる。箸で魚の骨を取るのは、取りずらくめんどくさいので、本考案は大変役立つものです。よく、骨を取るのがめんどくさいから焼き魚は食べないと言う人もいます。
高齢者にも簡単に使って頂けるし、お魚をたくさん食べて骨を丈夫にすることが出来ます。
【図面の簡単な説明】
【図１】本考案の魚の骨取りペイパーを広げた図面とそれを立てた側面図。
【図２】本考案の魚の骨取りペイパーを立てて置いた側面図。
【符号の説明】
１　折り曲げるところ
【図１】
0003098316.tif 000003
【図２】
0003098316.tif 000004
【手続補正書】
【提出日】平成15年6月18日(2003.6.18)
【手続補正１】
【補正対象書類名】明細書
【補正対象項目名】請求項１
【補正方法】変更
【補正の内容】
【請求項１】
（１）紙の片面は、耐油処理を施した紙で魚の油がしみない。
（２）指先で摘むのに適切なサイズで魚の形をしている。
以上からなる、魚の骨取り紙。
(57)【要約】　　　（修正有）【課題】マイクの取り置きをスムーズに行うことができるようにする。【解決手段】マイクを受けやすいような皿形の形状と摩擦素材でできたマットである。【選択図】　　図１
0003098311.tif 000002
【実用新案登録請求の範囲】
【請求項１】
マイクを受ける為に適した形状のマットである。
【請求項２】
マイクを置く時のショックを吸収できる構造と素材である。
【請求項３】
底面が滑りずらい構造と素材のマットである。
【考案の詳細な説明】
【０００１】
【産業上の利用分野】この考案はマイクを置く為の受けとして用いられるマットである。
【０００２】
【従来の技術】従来、マイクは挟み式、またはくわえ込み式のホルダーによって、スタンド等に立てられ用いられてきた。
【０００３】
【考案が解決しようとする課題】従ってマイクをホルダーから脱着の際、両手を使わなければならず、片手で脱着できても、演出上その所作はぎごちないものがあった。
【０００４】
従来のマイクホルダーはマイクスタンドが必要であった。
【０００５】
また、脱着の際に思わぬ音が出てしまう時がある。
【０００６】
【課題を解決するための手段】マイクを置くだけでよいように、受けるための形状をしたマットとした。
【０００７】
【考案の実施の形態】マイクスタンドを必要としないためにテーブル等の平面にもマイクを置くことができる。
【０００８】
【実施例】
【図６】の参考図の様に講演台等の上に本考案のマイク受けマットを置いて、演者が自由にマイクを取り置きができるようにする。
【０００９】
【考案の効果】マイクの取り置きの際、演者の所作がスムーズとなる。
【図面の簡単な説明】
【図１】マイク受けマットの斜視図である。
【図２】マイク受けマットの平面図である。
【図３】マイク受けマットの正面図である。
【図４】マイク受けマットの底面図である。
【図５】マイク受けマットの側面断面図である。
【図６】マイク受けマットの参考図である。
【図１】
0003098311.tif 000003
【図２】
0003098311.tif 000004
【図３】
0003098311.tif 000005
【図４】
0003098311.tif 000006
【図５】
0003098311.tif 000007
【図６】
0003098311.tif 000008
【手続補正書】
【提出日】平成15年6月24日(2003.6.24)
【手続補正１】
【補正対象書類名】明細書
【補正対象項目名】実用新案登録請求の範囲
【補正方法】変更
【補正の内容】
【実用新案登録請求の範囲】
【請求項１】
マイクを受ける為に適した皿型の形状をし、コードを落とし込む溝のあるマイク受けマット
【請求項２】
マイクを置く時のショックを吸収できる皿型の構造とやわらかい素材でできたマイク受けマット
【請求項３】
底面が滑りずらい凹凸構造と摩擦素材を使用したマイク受けマット